(57)【要約】    【課題】  従来技術にあっては、リフィールの後端が振れてしまい、軸筒の内壁面を擦ったりして違和感のある出没操作となってしまったり、ややもすると、没入動作の際、リフィールの後端が軸筒の内面に設けたカム溝の前端部に当接し、不完全な没入動作となってしまっていた。    【解決手段】  軸筒の内面にカム溝が設けられ、そのカム溝と係合する摺動子、並びに、回転子が配置され、その回転子の前後動によって筆記体が前記軸筒から出没する筆記具であって、前記回転子の外周に歯部を放射状に形成すると共に、その歯部を筆記体の突出方向に向けて延設形成し、その延設部によって筆記体の後部を囲繞した出没式筆記具。【選択図】  図１
2005186468.tif 000002
【特許請求の範囲】
【請求項１】
軸筒の内面にカム溝が設けられ、そのカム溝と係合する摺動子、並びに、回転子が配置され、その回転子の前後動によって筆記体が前記軸筒から出没する筆記具であって、前記回転子の外周に歯部を放射状に形成すると共に、その歯部を筆記体の突出方向に向けて延設形成し、その延設部によって筆記体の後部を囲繞したことを特徴とする出没式筆記具。
【請求項２】
前記延設部の内面に筆記体の突出方向に向けて拡開する傾斜面を形成したことを特徴とする請求項１記載の出没式筆記具。
【発明の詳細な説明】
【技術分野】
【０００１】
本発明は、軸筒の内面にカム溝が設けられ、そのカム溝と係合する摺動子、並びに、回転子が配置され、その回転子の前後動によって筆記体が前記軸筒から出没する筆記具に関し、前記筆記体の１例としては、ボールペンやシャープペンシル、細長い消しゴムなどが挙げられる。
【背景技術】
【０００２】
ボールペンは、大別して２種類の形態が流通している。その１種は、軸筒の先端にキャップを着脱自在に設け、そのキャップによってボールペンリフィールの先端を保護している。他方、キャップを有さず軸筒の先端からボールペンリフィールの先端を出没させる物もある。後者の出没させるタイプの物においても種々の種類があるが、軸筒の後方に配置されているノック部材の押圧操作によって出没の操作を行う物が多く市販されている。具体的に説明すると、軸筒の内面にはカム溝が設けられており、そのカム溝には摺動子と回転子が係合・配置さている。そして、その回転子の前方にはボールペンリフィールが配置されており、回転子の前後動によってボールペンリフィールが軸筒から出没するようになっている。
又、ボールペンリフィールの軸筒内部における振れや回転子からの脱落を防止する為に、回転子の前端部には筒状部が形成されており、その筒状部にはボールペンリフィールの後部が挿着されている。即ち、回転子よりも小径なボールペンリフィールを挿着しているのである。
しかし、近年においては、インキの充填量の多いボールペンが好まれるようになりつつあり、それ故に、ボールペンリフィールの大径化が強いられるようになってきた。そこで、前記回転子の前端部に形成されている筒状部を形成せずに、大径のリフィールの後端部を回転子の前端部に当接させる発明がなされた。
【０００３】
【特許文献１】実開平７−０２８６７９号公報（代表図）。
【特許文献２】実開平６−０６４９６８号公報（代表図）。
【発明の開示】
【発明が解決しようとする課題】
【０００４】
しかし、前記の従来技術にあっては、リフィールの後端が振れてしまい、軸筒の内壁面を擦ったりして違和感のある出没操作となってしまったり、ややもすると、没入動作の際、リフィールの後端が軸筒の内面に設けたカム溝の前端部に当接し、不完全な没入動作となってしまっていた。
ここで、参考文献１に記載されているように、回転子の前端部によって大径のリフィールを囲繞・保持することも考えられるが、回転子と共に軸筒も大径化してしまい、携帯性を著しく損ねてしまうなどの問題が発生し現実的ではない。
【課題を解決するための手段】
【０００５】
本発明は、軸筒の内面にカム溝が設けられ、そのカム溝と係合する摺動子、並びに、回転子が配置され、その回転子の前後動によって筆記体が前記軸筒から出没する筆記具であって、前記回転子の外周に歯部を放射状に形成すると共に、その歯部を筆記体の突出方向に向けて延設形成し、その延設部によって筆記体の後部を囲繞したことを要旨とする。
【発明の効果】
【０００６】
本発明は、軸筒の内面にカム溝が設けられ、そのカム溝と係合する摺動子、並びに、回転子が配置され、その回転子の前後動によって筆記体が前記軸筒から出没する筆記具であって、前記回転子の外周に歯部を放射状に形成すると共に、その歯部を筆記体の突出方向に向けて延設形成し、その延設部によって筆記体の後部を囲繞したので、製品特性を失うことなく、リフィールを大径化することができる。
【発明を実施するための最良の形態】
【０００７】
作用について説明する。回転子に不可欠である歯部によって筆記体の後部が保持される。
【０００８】
ボールペン体が出没可能に配置された筆記具を例に挙げ説明する。軸筒１は、前軸２と後軸３から構成されており、それら前軸２と後軸３は螺合などの手段によって着脱自在に連結されている。そして、その軸筒１の内部にはボールペンチップ４を有するボールペン体５が前後動可能に配置されており、そのボールペン体５は、前記前軸２の先端開口部６から突出が可能なものとなっているが、コイルスプリングなどの弾撥部材７によって、常に上方に向けて付勢されている。参照符号８は、ボールペン体５の内部に配置された樹脂材質からなる逆流防止体であって、その逆流防止体８はインキの消費に従って下降するようになっている。ちなみに、ボールペン体５に貯留されているインキは、剪断減粘性を有するインキとなっているが、これに限定させることはない。
又、前記後軸３の後部内面には、カム溝９が形成されており、そのカム溝９には、摺動子１０並びに、前記ボールペン体５の後端部を当接する回転子１１が係合している。以下、それら、カム溝９並びに摺動子１０、回転子１１について説明する。
【０００９】
前記後軸３の後部内面に形成されたカム溝９は、長手方向に形成された複数の縦リブ９ａと溝部９ｂから構成されているが、縦リブ９ａの下端面には傾斜面９ｃが同一方向に形成されている。
次ぎに、摺動子１０であるが、摺動子１０はノック部１０ａの外周側面に形成された複数の突起１０ｂから構成されており、その突起１０ｂの下方には下方に向けて尖った山形傾斜面１０ｃが形成されている。そして、この突起１０ｂが前記カム溝９の溝部９ｂに対して前後動可能に係合している。
前記摺動子１０の前方には、回転子１１が配置されてお入り、その回転子１１の外周面には、前記摺動子１０と同様な突起１１ａが形成されている。この突起１１ａも前記カム溝９の溝部９ｂに対して前後動可能に係合している。又、突起１１ａの上端部には、前記摺動子１０の突起１０ｂと当接する傾斜面１１ｂが形成されており、一方、下方には、前記ボールペン体４の後端部を囲繞するようにして保持する延設部１１ｃが形成されている。そして、その延設部１１ｃの内面には、ボールペン体５の位置決めが容易になされるように下方に向けて直線状の傾斜面１１ｄが形成されているが、円弧状の傾斜面としても良い。つまり、突起１１ａに、ボールペン体５を出没させるためのカム機構とボールペン体の保持機構とを兼ね備えさせることによって、回転子１１の外径部表面１１ｅとボールペン体５の外径を同一なものとすることができているようになり、此により、比較的大きな径のボールペン体を軸筒１の内部に配置することができるようになる。
尚、本例においては、前記延設部１１ｃの傾斜面１１ｄを外径部表面１１ｅの端部を起点とし、その起点から下方に向けて拡開するような傾斜面としたが、起点から軸線と平行な直線部を僅かに形成し、その直線部の下端から傾斜面を形成するようにしても良い。直線部によって、ボールペン体５の後端部における保持性が更に向上する。
【００１０】
前記後軸３の後端部には、摺動子１０などの後軸３からの脱落を防止する尾栓１２が圧入・固定されており、その尾栓１２にはクリップ１３が一体成形で設けらているが、別部材で構成し後軸３に固定などしても良い。
【図面の簡単な説明】
【００１１】
【図１】本発明を示す縦断面図（筆記体収納時）。
【図２】カム溝を示す展開図。
【図３】摺動子を示す外観斜視図。
【図４】回転子近傍を示す要部外観斜視図。
【図５】本発明を示す縦断面図（筆記突出時）。
【符号の説明】
【００１２】
１      軸筒
２      前軸
３      後軸
４      ボールペンチップ
５      ボールペン体
６      先端開口部
７      弾撥部材
８      逆流防止体
９      カム溝
１０      摺動子
１１      回転子
１２      尾栓
１３      クリップ
【図１】
2005186468.tif 000003
【図２】
2005186468.tif 000004
【図３】
2005186468.tif 000005
【図４】
2005186468.tif 000006
【図５】
2005186468.tif 000007